(57)【特許請求の範囲】
【請求項１】
ヘッダ領域と記録領域とからなる複数のセクタを有し、フォーマット上で規定された１まとまりのデータからなる所定量のデータが記録される上記記録領域内における上記所定量のデータの記録位置が少なくとも２箇所規定され、上記セクタ毎の記録領域内に記録される上記所定量のデータの記録位置により判別可能な記録位置情報として示された識別情報が記録されていることを特徴とする光ディスク。
【請求項２】
上記識別情報の一部は、上記セクタ毎の記録領域内に記録される所定のデータの記録位置によって特定され、上記識別情報の他の部分は、上記記録領域に記録されていることを特徴とする請求項１記載の光ディスク。
【請求項３】
上記所定のデータの記録位置は、上記記録領域の先頭側に偏位されているか又は上記記録領域の後方側に偏位されているかによって１ビット以上の識別情報を示すことを特徴とする請求項１記載の光ディスク。
【請求項４】
上記セクタのヘッダは、ピットアドレスで構成されることを特徴とする請求項１記載の光ディスク。
【請求項５】
上記セクタのアドレスは、グルーブ及び／又はランドのウォブリングで形成されていることを特徴とする請求項１記載の光ディスク。
【請求項６】
上記識別情報は、固有番号であることを特徴とする請求項１記載の光ディスク。
【請求項７】
上記識別情報は、データに暗号化処理を施すための暗号鍵であることを特徴とする請求項１記載の光ディスク。
【請求項８】
ヘッダ領域と記録領域とからなる複数のセクタを有し、フォーマット上で規定された１まとまりのデータからなる所定量のデータが記録される上記記録領域内における上記所定量のデータの記録位置が少なくとも２箇所規定され、上記セクタ毎の記録領域内に記録される上記所定量のデータの記録位置により判別可能な記録位置情報として示された識別情報が記録されている光ディスクの記録方法であって、
上記識別情報を用いて、上記所定量のデータの内ユーザデータに暗号化処理を行うためのディスク・キーに第１の暗号化処理を行い、上記第１の暗号化処理が行われたディスク・キーを用いて、上記ユーザデータの各プログラム毎に暗号化処理を行うためのセクタ・キーに第２の暗号化処理を行い、第２の暗号化処理が行われたセクタ・キーを用いて、上記ユーザデータに第３の暗号化処理を行い、少なくとも上記第１乃至第３の暗号化処理の行われたユーザデータを上記光ディスクの記録領域に記録することを特徴とする光ディスクの記録方法。
【請求項９】
上記識別情報に基づいてタイミング信号を発生し、上記所定量のデータを記録する際に、上記タイミング信号に基づいて光ディスクのセクタ毎の記録領域内に記録される上記所定量データの記録位置を変えることによって上記識別情報を記録することを特徴とする請求項８記載の光ディスクの記録方法。
【請求項１０】
上記識別情報の一部に基づいてタイミング信号を発生し、上記所定量のデータを記録する際に、上記タイミング信号に基づいて光ディスクのセクタ毎の記録領域内に記録される上記所定量のデータの記録位置を変えることによって上記識別情報の一部を記録するとともに、上記識別情報の他の部分を上記ユーザデータとして上記記録領域に記録することを特徴とする請求項８記載の光ディスクの記録方法。
【請求項１１】
上記光ディスクの上記セクタ毎の記録領域内に記録される所定のデータの記録位置に基づいて、上記識別情報を読み出し、読み出した識別情報を用いて、上記第１の暗号化処理を行うことを特徴とする請求項８記載の光ディスクの記録方法。
【請求項１２】
ヘッダ領域と記録領域とからなる複数のセグメントを有し、フォーマット上で規定された１まとまりのデータからなる所定量のデータが記録される上記セグメント毎の記録領域内における上記所定量のデータの記録位置が少なくとも２箇所規定され、上記セグメント毎の記録領域内に記録される上記所定量のデータの記録位置により判別可能な記録位置情報として示された識別情報が記録されていることを特徴とする光ディスク。
【請求項１３】
２つ以上のセグメントにより１ビットの識別情報を構成することを特徴とする請求項１２記載の光ディスク。
【請求項１４】
複数のセグメントにより誤り訂正ブロックを構成し、誤り訂正ブロック内の２つのセグメントにより１ビットの識別情報を構成することを特徴とする請求項１３記載の光ディスク。
【請求項１５】
２つの誤り訂正ブロックにより１ビットの識別情報を構成することを特徴とする請求項１３記載の光ディスク。
【請求項１６】
記録データに同期信号を含み、同期信号の記録位置が識別情報を示すことを特徴とする請求項１２記載の光ディスク。
【請求項１７】
ヘッダ領域と記録領域とからなる複数のセグメントを有し、フォーマット上で規定された１まとまりのデータからなる所定量のデータが記録される上記セグメント毎の記録領域内における上記所定量のデータの記録位置が少なくとも２箇所規定され、上記セグメント毎の記録領域内に記録される上記所定量のデータの記録位置により判別可能な記録位置情報として示された識別情報が記録されている光ディスクの記録方法であって、
上記識別情報を用いて、上記所定量のデータの内ユーザデータに暗号化処理を行うためのディスク・キーに第１の暗号化処理を行い、上記第１の暗号化処理が行われたディスク・キーを用いて、上記ユーザデータの各プログラム毎に暗号化処理を行うためのセクタ・キーに第２の暗号化処理を行い、第２の暗号化処理が行われたセクタ・キーを用いて、上記ユーザデータに第３の暗号化処理を行い、少なくとも上記第１乃至第３の暗号化処理の行われたユーザデータを上記光ディスクの記録領域に記録することを特徴とする光ディスクの記録方法。
【請求項１８】
上記識別情報に基づいてタイミング信号を発生し、上記所定量のデータを記録する際に、上記タイミング信号に基づいて光ディスクのセグメント毎の記録領域内に記録される上記所定量データの記録位置を変えることによって上記識別情報を記録することを特徴とする請求項１７記載の光ディスクの記録方法。
【請求項１９】
上記識別情報の一部に基づいてタイミング信号を発生し、上記所定量のデータを記録する際に、上記タイミング信号に基づいて光ディスクのセグメント毎の記録領域内に記録される上記所定量のデータの記録位置を変えることによって上記識別情報の一部を記録するとともに、上記識別情報の他の部分を上記ユーザデータとして上記記録領域に記録することを特徴とする請求項１７記載の光ディスクの記録方法。
【請求項２０】
上記光ディスクの上記セグメント毎の記録領域内に記録される所定のデータの記録位置に基づいて、上記識別情報を読み出し、読み出した識別情報を用いて、上記第１の暗号化処理を行うことを特徴とする請求項１７記載の光ディスクの記録方法。
【請求項２１】
２つ以上のセグメントにより１ビットを構成した識別情報を上記光ディスクから読み出し、読み出した識別情報を用いて、上記第１の暗号化処理を行うことを特徴とする請求項１７記載の光ディスクの記録方法。
【請求項２２】
複数のセグメントにより誤り訂正ブロックを構成し、誤り訂正ブロック内の２つのセグメントにより１ビットを構成した識別情報を上記光ディスクから読み出し、読み出した識別情報を用いて、上記第１の暗号化処理を行うことを特徴とする請求項１７記載の光ディスクの記録方法。
【請求項２３】
２つの誤り訂正ブロックにより１ビットを構成した識別情報を上記光ディスクから読み出し、読み出した識別情報を用いて、上記第１の暗号化処理を行うことを特徴とする請求項１７記載の光ディスクの記録方法。
【請求項２４】
記録データに同期信号を含み、同期信号の記録位置により示される識別情報を上記光ディスクから同期信号の記録位置により検出し、検出した識別情報を用いて、上記第１の暗号化処理を行うことを特徴とする請求項１７記載の光ディスクの記録方法。
【発明の詳細な説明】
【０００１】
【発明の属する技術分野】
本発明は、データの不正コピーを防止するようにした光ディスク及びその記録方法に関する。
【０００２】
【従来の技術】
いわゆるＤＶＤ−ＲＡＭディスク等の記録可能な相変化型の光ディスクの記録再生装置は、映像信号や音声信号等からなるＡＶデータを暗号化して光ディスクに記録する。再生時では、光ディスクから読み出したＡＶデータを復号することによって、元の映像信号や音声信号を得ることができる。
【０００３】
上記記録再生装置は、例えば図１４に示すように、光ディスクに記録するＡＶデータ全体を暗号化（encryption）するためのディスク・キーを用いて、ＡＶデータを各プログラム毎に暗号化するためのセクタ・キーを暗号化する。そして、暗号化されたディスク・キーを用いて各プログラム毎にＡＶデータを暗号化して光ディスクに記録するとともに、ディスク・キー及び暗号化されたセクタ・キーも光ディスクに記録する。
【０００４】
上記記録再生装置は、再生時においては、ディスク・キー及び暗号化されたセクタ・キーを用いてセクタ・キーを復号し（decryption）、このセクタ・キーを用いて暗号化されたＡＶデータを復号する。
【０００５】
このような、暗号化処理及び復号処理の具体的内容は、不正コピー防止の観点から一般に公開されていない。したがって、上記記録再生装置の暗号化処理等を行うＩＣ（Integrated Circuit）の構成が分からない限り、一般ユーザはＡＶデータの不正コピーを行うことができない。
【０００６】
また、上記相変化型の光ディスクは、同じ場所に同じデータが繰り返して記録されると、記録マーク及びその周辺が熱的ストレス等によって劣化する。これにより、上記光ディスクは、繰り返しデータを記録することができる特性が制限されることがあった。そこで、同一の信号パターンを有する同期信号部分の位置が、同一の場所に記録されることがないように、その記録位置をランダムに変える手法、すなわちＳＰＳ（Start Position Shift method ）記録が採られている。
【０００７】
【発明が解決しようとする課題】
しかし、上記記録再生装置の暗号化処理等を行うＩＣの構成が分かってしまうと、その暗号を解く復号処理の手法が分かってしまい、これにより、オリジナルの光ディスクに記録されているＡＶデータが他の光ディスクにコピーされるおそれがある。
【０００８】
さらに、コピー防止等のセキュリティに対する関心が高まるに連れて、光ディスクの内容を暗号化するだけでなく、光ディスクに個別の識別情報を入れることによって不正コピーの防止の要求が高まっている。
【０００９】
本発明は、このような実情に鑑みて提案されたものであり、ＳＰＳ記録を用いて光ディスクに識別番号を記録することによって、光ディスクのデータが不正コピーされても、そのデータの再生を不可能にすることができる光ディスク及びその記録方法を提供することを目的とする。
【００１０】
【課題を解決するための手段】
上述の課題を解決するために、本発明に係る光ディスクは、ヘッダ領域と記録領域とからなる複数のセクタを有し、フォーマット上で規定された１まとまりのデータからなる所定量のデータが記録される上記記録領域内における上記所定量のデータの記録位置が少なくとも２箇所規定され、上記セクタ毎の記録領域内に記録される上記所定量のデータの記録位置により判別可能な記録位置情報として示された識別情報が記録されていることを特徴とする。
【００１１】
また、本発明に係る光ディスクは、ヘッダ領域と記録領域とからなる複数のセグメントを有し、フォーマット上で規定された１まとまりのデータからなる所定量のデータが記録される上記セグメント毎の記録領域内における上記所定量のデータの記録位置が少なくとも２箇所規定され、上記セグメント毎の記録領域内に記録される上記所定量のデータの記録位置により判別可能な記録位置情報として示された識別情報が記録されていることを特徴とする。
【００１２】
また、本発明は、ヘッダ領域と記録領域とからなる複数のセクタを有し、フォーマット上で規定された１まとまりのデータからなる所定量のデータが記録される上記記録領域内における上記所定量のデータの記録位置が少なくとも２箇所規定され、上記セクタ毎の記録領域内に記録される上記所定量のデータの記録位置により判別可能な記録位置情報として示された識別情報が記録されている光ディスクの記録方法であって、上記識別情報を用いて、上記所定量のデータの内ユーザデータに暗号化処理を行うためのディスク・キーに第１の暗号化処理を行い、上記第１の暗号化処理が行われたディスク・キーを用いて、上記ユーザデータの各プログラム毎に暗号化処理を行うためのセクタ・キーに第２の暗号化処理を行い、第２の暗号化処理が行われたセクタ・キーを用いて、上記ユーザデータに第３の暗号化処理を行い、少なくとも上記第１乃至第３の暗号化処理の行われたユーザデータを上記光ディスクの記録領域に記録することを特徴とする。
【００１３】
さらに、本発明は、ヘッダ領域と記録領域とからなる複数のセグメントを有し、フォーマット上で規定された１まとまりのデータからなる所定量のデータが記録される上記セグメント毎の記録領域内における上記所定量のデータの記録位置が少なくとも２箇所規定され、上記セグメント毎の記録領域内に記録される上記所定量のデータの記録位置により判別可能な記録位置情報として示された識別情報が記録されている光ディスクの記録方法であって、上記識別情報を用いて、上記所定量のデータの内ユーザデータに暗号化処理を行うためのディスク・キーに第１の暗号化処理を行い、上記第１の暗号化処理が行われたディスク・キーを用いて、上記ユーザデータの各プログラム毎に暗号化処理を行うためのセクタ・キーに第２の暗号化処理を行い、第２の暗号化処理が行われたセクタ・キーを用いて、上記ユーザデータに第３の暗号化処理を行い、少なくとも上記第１乃至第３の暗号化処理の行われたユーザデータを上記光ディスクの記録領域に記録することを特徴とする。
【００１４】
本発明に係る光ディスクの記録方法では、光ディスクの識別情報を用いて、所定量のデータの内ユーザデータに暗号化処理を行うためのディスク・キーに第１の暗号化処理を行い、第１の暗号化処理が行われたディスク・キーを用いて、ユーザデータの各プログラム毎に暗号化処理を行うためのセクタ・キーに第２の暗号化処理を行い、第２の暗号化処理が行われたセクタ・キーを用いて、ユーザデータに第３の暗号化処理を行うことによって、光ディスク毎に異なる暗号化処理を施す。
【００１５】
【発明の実施の形態】
以下、本発明の実施の形態について、図面を参照しながら詳細に説明する。
【００１６】
本発明は、たとえば図１に示すような構成の光ディスク１に適用される。
【００１７】
上記光ディスク１は、データ記録面を放射状の領域に分割してセクタ構造を形成するとともに、データ記録面を同心円上に分割して複数のゾーンＺ０〜Ｚｎを形成する。
【００１８】
各セクタは、先頭がアドレスが書き込まれるヘッダエリアＡＲ１と、続く残りの領域がデータが書き込まれるレコーディングエリアＡＲ２とに割り当てられる。レコーディングエリアＡＲ２では、グルーブＧＲが蛇行して形成される。また、最内周のゾーンＺ０のトラックでは、グルーブＧＲが所定の周期にわたって蛇行するように形成され、外周側のゾーンに移るにしたがって、順次グルーブＧＲの蛇行数が増加するように形成される。ヘッダエリアＡＲ１は、光ディスク上に離散的に配され、セクタ単位のアドレス情報が記録される。ヘッダエリアＡＲ１においては、グルーブＧＲの一定周期に相当する長さが割り当てられている。
【００１９】
ここで、ヘッダエリアＡＲ１の前半部分では、グルーブＧＲによるトラックセンタ上に、グルーブヘッダＧＲＨのエンボスピット列が形成されている。また、ヘッダエリアＡＲ１の後半部分では、ランドによるトラックセンタ上に、ランドヘッダＬＨのエンボスピット列が形成されている。
【００２０】
また、上記光ディスク１のヘッダエリアＡＲ１は、図２の（Ａ）に示すように、「Ｈｅａｄｅｒ１」，「Ｇａｐ」，「Ｈｅａｄｅｒ２」，「Ｇａｐ」から構成される。「Ｈｅａｄｅｒ１」はグルーブヘッダＧＲＨエンボスピット列による情報が対応し、「Ｈｅａｄｅｒ２」はランドヘッダＬＨのエンボスピット列による情報が対応する。「Ｈｅａｄｅｒ１」及び「Ｈｅａｄｅｒ２」は、セクタマークを示す「ＳＭ」，同期用のタイミングデータを示す「ＶＦＯ１」，「ＶＦＯ２」、アドレスマークを示す「ＡＭ１」，「ＡＭ２」、ＩＤを示す「ＩＤ１」，「ＩＤ２」、ポストアンブルを示す「ＰＡ１」とから構成されている。
【００２１】
また、上記光ディスク１のレコーディングエリアＡＲ２は、記録開始のガードエリアである「Ｇｕａｒｄ１」，同期用のタイミングデータである「ＶＦＯ」，データの開始位置を示す「ＳＹＮＣ」，主として記録されるデータである「ＤＡＴＡ」，ポストアンブル「ＰＡ」，記録終了のガードエリアである「Ｇｕａｒｄ２」，「Ｂｕｆｆｅｒ」とから構成される。
【００２２】
レコーディングエリアＡＲ２において、「ＶＦＯ」，「ＳＹＮＣ」，「ＤＡＴＡ」，「ＰＡ」からなるデータ（以下、「記録データ」という。）は、映像信号，音声信号のＡＶデータ，その他同期情報等のデータからなり、頻繁に書き換えられるものである。上記記録データは、一定量のデータ量を有し、図２に斜線を施して示すように、ひとまとまりとなって記録される。各光ディスク１は、固有の識別情報（以下、「メディアＩＤ」という。）を備えている。このメディアＩＤは、セクタ毎のレコーディングエリアＡＲ２における上記記録データの記録位置によって特定される。記録データが書き換えられるときは、上記記録データ自体が書き換えられるだけで、その記録位置は変化しない。これにより、記録データが書き換えられてもメディアＩＤは変化しないようになっている。なお、メディアＩＤを変更する場合は、あらためて記録位置を変化させる。
【００２３】
なお、このようにＡＶデータの記録位置をずらすことによってメディアＩＤを記録することを、以下の説明ではＳＰＳ（Start Position Shift method ）記録という。
【００２４】
ＳＰＳ記録では、例えば１セクタ（８ｋバイト）で１ビット分のメディアＩＤが記録される。例えば図２の（Ｂ）に示すように、レコーディングエリアＡＲ２において、「Ｇｕａｒｄ１」の領域が小さく「Ｇｕａｒｄ２」の領域が大きくなることによって、上記「ＶＦＯ」等からなる記録データがレコーディングエリアＡＲ２の前方に偏位して記録されている。このとき、１ビット分のメディアＩＤは例えば「０」を示す。
【００２５】
また、図２の（Ｃ）に示すように、「Ｇｕａｒｄ１」の領域が大きく「Ｇｕａｒｄ２」の領域が小さくなることによって、上記「ＶＦＯ」等からなる記録データがレコーディングエリアＡＲ２の後方に偏位して記録されている。このとき、１ビット分のメディアＩＤは例えば「１」を示す。そして、メディアＩＤは、セクタ毎のこれらの１ビットの情報が集合することによって特定される。
【００２６】
なお、メディアＩＤの全ての情報をＳＰＳ記録してもよいし、メディアＩＤの一部の情報をＳＰＳ記録してもよい。また、以下の説明では、メディアＩＤは１２８ビットからなるものとする。
【００２７】
例えばメディアＩＤの１２８ビットの全ての情報は、以下のようにＳＰＳ記録されている。例えば図３の（Ａ）に示すように、１セクタには１ビット分のメディアＩＤが記録される。１ＥＣＣブロックは８セクタから構成されるので、図３の（Ｂ）に示すように、１ＥＣＣブロックには８ビットのメディアＩＤが記録される。よって、図３の（Ｃ）に示すように、１６ＥＣＣブロックに１２８ビットのメディアＩＤが記録されることになる。
【００２８】
また、メディアＩＤの一部の情報をＳＰＳ記録し、メディアＩＤの他の情報をレコーディングエリアＡＲ２に記録してもよい。例えば図４の（Ａ）及び図４の（Ｂ）に示すように、１２８ビットのメディアＩＤの内、８ビット分をＳＰＳ記録して、残りの１２０ビット分をレコーディングエリアＡＲ２に記録してもよい。
【００２９】
なお、メディアＩＤとしては、例えば光ディスク固有の番号，暗号鍵，光ディスク１の製造者，コンテンツ作製者，署名，日付等の情報が該当する。
【００３０】
つぎに、上記光ディスク１に暗号化処理を行ってＡＶデータを記録し、また、上記光ディスク１に記録されたデータに復号処理を行ってＡＶデータを再生する記録再生装置１０の概略的な構成について、図５を用いて説明する。
【００３１】
上記記録再生装置１０は、ＡＶデータの暗号化処理を行って光ディスク１に記録する記録部１１と、光ディスク１から再生したＡＶデータに復号処理を行う再生部１５とを備える。
【００３２】
記録部１１において、第１の暗号化回路１２は、光ディスク１に固有のメディアＩＤを用いて、ＡＶデータ全体を暗号化するためのディスク・キーを暗号化する。第２の暗号化回路１３は、この暗号化されたディスク・キーを用いて、ＡＶデータを各プログラム毎に暗号化するためのセクタ・キーに対して暗号化処理をする。第３の暗号化回路１４は、暗号化されたセクタ・キーを用いて各プログラム毎にＡＶデータを暗号化する。そして、暗号化されたＡＶデータは、光ディスク１に記録されるとともに、ディスク・キー及び暗号化されたセクタ・キーも光ディスク１に記録される。
【００３３】
このように、記録再生装置１０は、光ディスク１に固有のメディアＩＤを用いてＡＶデータの暗号化処理を行うことによって、１枚１枚の光ディスク１に対して異なる暗号化処理を行うことができる。
【００３４】
一方、再生部１５においては、第１の復号回路１６は、光ディスク１のメディアＩＤを用いて暗号化されたディスク・キーを復号する。第２の復号回路１７は、このディスク・キーを用いて暗号化されたセクタ・キーを復号する。第３の復号回路１８は、このセクタ・キーを用いて暗号化されたＡＶデータを復号する。このように、記録再生装置１０は、光ディスク１のメディアＩＤを用いてＡＶデータを復号することにより、例えば他の光ディスクからそのまま不正コピーされた場合であっても、オリジナルの光ディスクのメディアＩＤと不正コピーされたＡＶデータが記録されている光ディスクのメディアＩＤとが異なるので、不正コピーされたＡＶデータが復号されるのを防止することができる。
【００３５】
つぎに、図６を用いて、上記光ディスク１にＡＶデータを記録し、又は上記光ディスク１のＡＶデータを再生する記録再生装置２０の具体的な回路構成について説明する。
【００３６】
上記記録再生装置２０は、レーザビームを介してデータの記録／再生を行う光学ヘッド２１と、ＡＶデータに所定の変調／復調処理等を行う記録／再生回路２２と、光ディスク１から読み出しているＡＶデータのアドレスを検出するアドレス検出回路２３と、ウォブル信号を検出するウォブル信号検出回路２６と、上記ウォブル信号の周期を検出するウォブリング周期検出回路２７と、上記ウォブル信号に基づいて所定のクロックを生成するＰＬＬ（Phase Locked Loop）回路２８と、アドレスの位置をカウントするクラスタカウンタ２９と、各回路を制御するシステム制御回路３０と、所定のデータが記憶されているＲＯＭ３１とを備える。
【００３７】
光学ヘッド２１は、システム制御回路３０，記録／再生回路２２を介して供給されるＡＶデータを光ディスク１に記録する。ここで、システム制御回路３０は、入力されるＡＶデータに後述する暗号化処理を施して記録／再生回路２２に供給する。記録／再生回路２２は、システム制御回路３０から供給されるデータに誤り訂正符号処理，変調処理等を行ってから光学ヘッド２１に供給する。
【００３８】
また、上述した光学ヘッド２１は、レーザビームの光ディスク１からの反射光の検出出力を記録／再生回路２２，アドレス検出回路２３，ウォブル信号検出回路２６に供給する。
【００３９】
記録／再生回路２２は、光学ヘッド２１から供給されるＡＶデータに誤り訂正処理，復調処理等を行ってシステム制御回路３０に供給する。システム制御回路３０は、記録／再生回路２２からのＡＶデータに対して後述する復号処理を施して出力する。
【００４０】
また、アドレス検出回路２３は、光学ヘッド２１の検出出力からアドレスデータをデコードし、エラーの検出等を行ってから、デコードされたアドレスをクラスタカウンタ２９及びシステム制御回路３０に供給する。
【００４１】
ウォブル信号検出回路２６は、ウォブル信号からノイズ成分を除去するためのバンド・パス・フィルタ（ＢＰＦ）２６ａと、二値化処理を行うコンパレータ２６ｂとを備える。ＢＰＦ２６ａには、光学ヘッド２１を介して、光ディスク１に記録されているグルーブ及び／又はランドのウォブリングの検出出力（ウォブル信号）が供給される。ＢＰＦ２６ａは、上記ウォブル信号のノイズを除去してコンパレータ２６ｂに供給する。コンパレータ２６ｂは、ＢＰＦ２６ａからのウォブル信号に二値化処理を行ってウォブリング検出パルスを得て、このウォブリング検出パルスをウォブリング周期検出回路２７に供給する。
【００４２】
ウォブリング周期検出回路２７は、上記ウォブリング検出パルスの周期性を判定し、これが一定の周期性を有するものであれば、ＰＬＬ回路２８に供給する。なお、一定の周期性を有していないときはサーボの引き込み動作中である。
【００４３】
ＰＬＬ回路２８は、位相比較器２８ａと、高周波のノイズ成分を除去するロー・パス・フィルタ（ＬＰＦ）２８ｂと、電圧制御発振器（ＶＣＯ）２８ｃと、分周器２８ｄとを有する。
【００４４】
位相比較器２８ａは、ウォブリング周期検出回路２７からのウォブリング検出パルスと分周器２８ｄからのパルスとの位相を比較して、その位相の誤差を示す位相比較エラー信号をＬＰＦ２８ｂを介してＶＣＯ２８ｃに供給する。ＶＣＯ２８ｃは、上記位相比較エラー信号に基づいてチャンネルクロック（以下、「Ｒ／Ｗクロック」という。）を発生し、これを分周器２８ｄ及びクラスタカウンタ２９に供給する。分周器２８ｄは、システム制御回路３０によって分周比が制御され、ＶＣＯ２８ｃからのＲ／Ｗクロックを分周し、ウォブル信号の周波数と同じ周波数のパルスを生成して位相比較器２８ａに供給する。かかる処理によって、上記ウォブル信号に基づいて、一定のＲ／Ｗクロックが生成される。
【００４５】
このように、ＰＬＬ回路２８は、光ディスク１から得られたウォブル信号に基づいて、精度の良いＲ／Ｗクロックを生成することができ、これにより、冗長なく高密度にデータの記録／再生が可能になる。
【００４６】
クラスタカウンタ２９は、アドレス検出回路２３からのアドレスとＶＣＯ２８ｃからのＲ／Ｗクロックとに基づいて、アドレス周期に同期した同期信号処理を行い、次のアドレスの位置をカウントする。また、クラスタカウンタ２９は、次のアドレスの位置を検出することができないときは、このカウンタより次のアドレスの位置を決定し、アドレスをカウントアップする。
【００４７】
システム制御回路３０は、クラスタカウンタ２９によって検出されたアドレスをもとに、図示しないスレッドモータの回転を制御して、光学ヘッド２１を光ディスク上の所定の位置にアクセスし、クラスタ記録再生タイミングに合わせてデータの記録及び／又は再生処理を行う。また、ＲＯＭ３１にはアドレスに対応する分周器２８ｄの分周比のデータが記憶され、システム制御回路３０は、ＲＯＭ３１のデータに基づいて分周器２８ｄの分周比を制御している。
【００４８】
また、システム制御回路３０は、上述した暗号化処理を行うために図７に示す暗号化処理部４０と、復号処理を行うために図８に示す復号処理部５０とを有する。
【００４９】
暗号化処理部４０は、メディアＩＤと、さらに暗号化キーとしてのディスク・キー，セクタ・キーとを用いて、入力されるＡＶデータに暗号化処理を行う。なお、ディスク・キーは光ディスクに記録するＡＶデータ全体を暗号化するためのものであり、セクタ・キーはＡＶデータを各プログラム毎に暗号化するための暗号化鍵である。
【００５０】
ここで、暗号化処理部４０は、メディアＩＤを分離する分離回路４１と、ＳＰＳ記録用のＳＰＳタイミング信号を発生するタイミング信号発生回路４２と、ディスク・キーの暗号化処理を行う第１の暗号化回路４３と、セクタ・キーの暗号化処理を行う第２の暗号化回路４４と、ＡＶデータの暗号化処理を行う第３の暗号化回路４５とを有する。
【００５１】
メディアＩＤは、分離回路４１及び第１の暗号化回路４３に供給される。ここでは、上記メディアＩＤは例えば１２８ビットからなり、その８ビット分（以下、「メディアＩＤ１」という。）はＳＰＳ記録によって光ディスク１に記録されるものであり、他の１２０ビット分（以下、「メディアＩＤ２」という。）はレコーディングエリアＡＲ２に記録されるものとする。
【００５２】
分離回路４１は、メディアＩＤを８ビットと１２０ビットに分けることによって、上記メディアＩＤを８ビットのＳＰＳ記録用のメディアＩＤ１と１２０ビットのレコーディングエリアＡＲ２記録用のメディアＩＤ２とに分離する。そして、分離回路４１は、メディアＩＤ１をタイミング信号発生回路４２に供給し、メディアＩＤ２を図６に示す記録／再生回路２２に供給する。
【００５３】
タイミング信号発生回路４２は、光ディスク１から読み出されるアドレス等の所定のデータ及び分離回路４１からのメディアＩＤ１に基づいて、レコーディングエリアＡＲ２における記録データの記録位置を変えるためのＳＰＳタイミング信号を発生して出力し、このＳＰＳタイミング信号を記録／再生回路２２に供給する。
【００５４】
一方、第１の暗号化回路４３は、上記メディアＩＤを用いてディスク・キーの暗号化を行い、暗号化されたディスク・キーを第２の暗号化回路４４に供給するとともに、記録／再生回路２２に供給する。
【００５５】
第２の暗号化回路４４は、暗号化されたディスク・キーを用いて、セクタ・キーを暗号化し、暗号化されたセクタ・キーを第３の暗号化回路４５及び記録／再生回路２２に供給する。
【００５６】
第３の暗号化回路４５は、暗号化されたセクタ・キーを用いて映像信号及び音声信号等からなるＡＶデータを暗号化し、暗号化されたＡＶデータを記録／再生回路２２に供給する。
【００５７】
そして、記録／再生回路２２は、システム制御回路３０から供給されるＳＰＳタイミング信号に基づいて、図２に示すレコーディングエリアＡＲ２内の「Ｇｕａｒｄ１」のデータ量を大きくしたり小さくしたりすることによって、「ＶＦＯ」，「ＤＡＴＡ」等の記録データの記録位置に変化を与える。このように、記録データの記録位置に変化が与えられることによって、１セクタに１ビット分のメディアＩＤが記録され、８セクタ分に８ビットのメディアＩＤ１が記録される。また、記録／再生回路２２は、図２に示す「ＤＡＴＡ」等の記録データとして、メディアＩＤ２，暗号化されたディスク・キー，暗号化されたセクタ・キー，暗号化されたＡＶデータを記録する。
【００５８】
以上のように、上記記録再生装置２０は、光ディスク１に固有のメディアＩＤを用いてＡＶデータに暗号化処理を行って光ディスク１に記録することができる。すなわち、上記記録再生装置２０は、光ディスク１枚１枚に対して、異なる暗号化処理の施したＡＶデータを記録することができる。なお、暗号化されたディスク・キー，セクタ・キーについては、上述のように記録データとして記録してもよいし、ＳＰＳ記録してもいいのは勿論である。
【００５９】
なお、ここではメディアＩＤとＡＶデータとを同時に記録する場合について説明したが、光ディスク１に既にメディアＩＤが記録されている場合は、このメディアＩＤを読み出してから、このメディアＩＤに基づいて所定のキーやＡＶデータの暗号化処理を行うようにしてもよい。また、メディアＩＤを分離せずに、全てのメディアＩＤをタイミング信号発生回路４２を介してＳＰＳ記録してもよい。
【００６０】
一方、復号処理部５０には、光学ヘッド２１，記録／再生回路２２を介して、メディアＩＤ１，メディアＩＤ２，暗号化されたディスク・キー，暗号化されたセクタ・キー，暗号化されたＡＶデータが供給される。そして、復号処理部５０は、メディアＩＤ１等を用いて、暗号化されたＡＶデータを復号することができる。
【００６１】
復号処理部５０は、図８に示すように、ＳＰＳタイミング信号を発生するタイミング信号発生回路５１と、上記ＳＰＳタイミング信号からメディアＩＤ１を分離するメディアＩＤ１分離回路５２と、メディアＩＤ１とメディアＩＤ２とを合成する合成回路５３と、ディスク・キーを復号する第１の復号回路５４と、セクタ・キーを復号する第２の復号回路５５と、ＡＶデータを復号する第３の復号回路５６とを備える。
【００６２】
タイミング信号発生回路５１は、図２に示すレコーディングエリアＡＲ２の「ＶＦＯ」，「ＤＡＴＡ」等の記録データの記録位置に基づいてＳＰＳタイミング信号を発生し、これをメディアＩＤ１分離回路５２に供給する。
【００６３】
メディアＩＤ１分離回路５２は、ＳＰＳタイミング信号からメディアＩＤ１を分離し、これを合成回路５３に供給する。
【００６４】
合成回路５３は、メディアＩＤ１分離回路５２からのメディアＩＤ１と光ディスク１から読み出されたメディアＩＤ２とを合成してメディアＩＤを生成して、このメディアＩＤを第１の復号回路５４に供給する。
【００６５】
第１の復号回路５４は、上記メディアＩＤを用いて暗号化されたディスク・キーを復号し、復号されたディスク・キーを第２の復号回路５５に供給する。第２の復号回路５５は、復号されたディスク・キーを用いて、暗号化されたセクタ・キーを復号し、復号されたセクタ・キーを第３の復号回路５６に供給する。第３の復号回路５６は、復号されたセクタ・キーを用いて、暗号化されたＡＶデータを復号し、復号されたＡＶデータを出力する。
【００６６】
以上のように、記録再生装置２０は、光ディスク１に固有のメディアＩＤ１及びメディアＩＤ２を用いて暗号化されたＡＶデータの復号処理を行っている。したがって、記録再生装置２０は、ＡＶデータが不正にコピーされた光ディスク１からはＡＶデータを復号することができない。これにより、一の光ディスクのＡＶデータが他の光ディスクにそのまま不正コピーされても、ＡＶデータは復号されず、この結果、不正コピーを防止することができる。
【００６７】
なお、本実施の形態では、上記記録再生装置２０において、メディアＩＤ１はＳＰＳ記録され、メディアＩＤ２が記録データとして記録されるものとしたが、本発明はこれに限定されるものではない。例えば、光ディスク１にメディアＩＤ（メディアＩＤ１及びメディアＩＤ２）がＳＰＳ記録されるようにしてもよい。このとき、第１の復号回路５４は、光ディスク１から読み出されてタイミング信号発生回路５１，メディアＩＤ１分離回路５２を介して供給されるメディアＩＤに基づいて、暗号化されているディスク・キーの復号処理を行うようにすればよい。
【００６８】
また、上述した光ディスク１の実施の形態では、１セクタに１ビット分のメディアＩＤが記録されるものとしたが、本発明はこれに限定されるものではない。例えば、図２に示すレコーディングエリアＡＲ２に記録される「ＶＦＯ」，「ＤＡＴＡ」等のＡＶデータの記録位置を４段階に区別することによって、１セクタに２ビットのメディアＩＤを記録することができる。また、同様にして、１セクタに３ビット以上のメディアＩＤを記録することも可能である。
【００６９】
さらに、上述した光ディスク１の実施の形態では、１セクタに１ビット分のメディアＩＤが記録されるものとしたが、例えば図９に示すようにヘッダ領域ＡＲ１と記録領域ＡＲ２とからなる複数のセグメントを有する光ディスク１００において、上記セグメント毎の記録領域ＡＲ２内に記録される所定量のデータの記録位置が識別情報すなわちメディアＩＤを示すようにしてもよい。
【００７０】
この光ディスク１００の記録再生領域は同心円状の複数のゾーンＺ０〜Ｚｎに分割されている。同一ゾーン内はＣＡＶ（Constant Angular Velocity ）状にレイアウトされており、同一ゾーンの最内周で記録密度が最大になり、外側に向けて緩やかになっている。隣接する外周のゾーンの最内周では、隣接する内周のゾーンの最内周の記録密度と同じになるように設定されている。
【００７１】
この光ディスク１００において、ヘッダ領域ＡＲ１はＣＡＶ状にレイアウトされており、１つのヘッダ領域からヘッダ領域までが１セグメントとされている。ヘッダ領域ＡＲ１には、ＰＬＬ引き込み用の「ＶＦＯ」、アドレスマーク、トラックアドレス、セグメントアドレス、ＣＲＣなどから構成されている。
【００７２】
記録再生データは、誤り訂正（ECC:Error Check and Correction）ブロックを１つの単位として記録再生され、１ＥＣＣブロックのデータが複数のセグメントに記録されるようになっている。
【００７３】
この光ディスク１００では、例えば図１０に示すように、ＥＣＣブロックを構成する第１セグメントと第２セグメントの記録位置情報により１ビットの識別情報を構成する。
【００７４】
例えば、ＳＰＳ（Start Position Shift method ）記録でシフトする領域のチャンネル数を１２８チャンネルとし、１２８チャンネルのＳＰＳ領域を２つに分け、０チャンネルから６４チャンネルまでを第１ＳＰＳ領域とし、６５チャンネルから１２８チャンネルまでを第２ＳＰＳ領域としてある。
【００７５】
そして、第１セグメントと第２セグメントの記録位置がともに同じＳＰＳ領域である場合は識別情報は”０”とし、図１０の（Ａ）に示すように第１セグメントと第２セグメントの記録位置がともに第１ＳＰＳ領域である場合、又は、図１０の（Ｂ）に示すように第１セグメントと第２セグメントの記録位置がともに第２ＳＰＳ領域である場合に、識別情報は”０”とする。
【００７６】
また、第１セグメントと第２セグメントの記録位置が異なるＳＰＳ領域である場合は、識別情報は”１”とし、図１０の（Ｃ）に示すように第１セグメントの記録位置が第１ＳＰＳ領域で第２セグメントの記録位置が第２ＳＰＳ領域である場合、又は、図１０の（Ｄ）に示すように第１セグメントの記録位置が第２ＳＰＳ領域で第２セグメントの記録位置が第１ＳＰＳ領域である場合は、識別情報は”１”とする。
【００７７】
ＳＰＳの記録位置はランダムに選択されるが、ＥＣＣブロック内の第１セグメントと第２セグメントの記録位置を上述のように設定することによって、１ビットの識別情報を２つのセグメントで構成することができる。
【００７８】
このように、ヘッダ領域と記録領域とからなる複数のセグメントを有し、上記セグメント毎の記録領域内に所定量のデータの記録位置が識別情報を示す光ディスク１００は、本発明に係る記録方法に従い、上記識別情報を用いて、上記所定量のデータの内ユーザデータに暗号化処理を行うためのディスク・キーに第１の暗号化処理を行い、上記第１の暗号化処理が行われたディスク・キーを用いて、上記ユーザデータの各プログラム毎に暗号化処理を行うためのセクタ・キーに第２の暗号化処理を行い、第２の暗号化処理が行われたセクタ・キーを用いて、上記ユーザデータに第３の暗号化処理を行い、少なくとも上記第１乃至第３の暗号化処理の行われたユーザデータが記録される。
【００７９】
なお、図１１に示すように、２つのＥＣＣブロックにより１ビットの識別情報を構成することもできる。
【００８０】
奇数ＥＣＣブロックと偶数ＥＣＣブロックの記録位置がともに同じＳＰＳ領域である場合は識別情報は”０”とし、図１１の（Ａ）に示すように奇数ＥＣＣブロックと偶数ＥＣＣブロックの記録位置がともに第１ＳＰＳ領域である場合、又は、図１１の（Ｂ）に示すように奇数ＥＣＣブロックと偶数ＥＣＣブロックの記録位置がともに第２ＳＰＳ領域である場合に、識別情報は”０”とする。
【００８１】
また、奇数ＥＣＣブロックと偶数ＥＣＣブロックの記録位置が異なるＳＰＳ領域である場合は、識別情報は”１”とし、図１１の（Ｃ）に示すように奇数ＥＣＣブロックの記録位置が第１ＳＰＳ領域で偶数ＥＣＣブロックの記録位置が第２ＳＰＳである場合、又は、図１１の（Ｄ）に示すように奇数ＥＣＣブロックの記録位置が第２ＳＰＳ領域で偶数ＥＣＣブロックの記録位置が第１ＳＰＳ領域である場合は、識別情報は”１”とする。
【００８２】
すなわち、ＥＣＣブロック内のセグメントの記録位置は同じにして、奇数ＥＣＣブロックと偶数ＥＣＣブロックの記録位置により１ビットの識別情報を示す。
【００８３】
ここで、記録位置の検出は、次のようにして行われる。
【００８４】
すなわち、図１２にセグメントへの記録情報を示すように、ヘッダ領域ＡＲ１は「ＧＵＡＲＤ」や「ＶＦＯ」からなり、データ領域ＡＲ２は「ＦＲＡＭＥ  ＳＹＮＣ」を含むユーザデータからなる。
【００８５】
「ＧＵＡＲＤ」はＳＰＳを含む相変化記録膜のデータ保護のための領域である。「ＶＦＯ」はＰＬＬ引き込みのための領域である。「ＦＲＡＭＥ  ＳＹＮＣ」は、同期をとるための同期信号である。
【００８６】
図１３の（Ａ），（Ｂ）に示すようにＳＰＳの記録位置によって「ＦＲＡＭＥＳＹＮＣ」は記録位置が変わり、図１３の（Ａ）に示すようにＳＰＳの記録位置が０チャンネルから６４チャンネルまでのときは「ＦＲＡＭＥ  ＳＹＮＣ」の記録位置は第１ＳＰＳに対応するのＳＹＮＣエリアとなり、図１３の（Ｂ）に示すようにＳＰＳの記録位置が６５チャンネルから１２８チャンネルまでのときは「ＦＲＡＭＥ  ＳＹＮＣ」の記録位置は第２ＳＰＳに対応するＳＹＮＣエリアとなる。従って、「ＦＲＡＭＥ  ＳＹＮＣ」が第１ＳＰＳに対応するＳＹＡＮＣエリアで検出された場合は、そのセグメントの記録位置は第１ＳＰＳ領域であり、また、「ＦＲＡＭＥ  ＳＹＮＣ」が第２ＳＰＳに対応するＳＹＡＮＣエリアで検出された場合は、そのセグメントの記録位置は第２ＳＰＳ領域である。
【００８７】
すなわち、記録データに同期信号を含む場合は、その同期信号の記録位置が識別情報を示すので、同期信号の記録位置を検出することにより識別情報を読みとることができる。
【００８８】
なお、ＳＰＳでシフトするエリアのチャンネル数は、１２８チャンネルに限定されることなく、メディアによっては６４チャンネルや２５６チャンネルとすることもある。
【００８９】
【発明の効果】
以上詳細に説明したように、本発明に係る光ディスクによれば、ヘッダ領域と記録領域とからなるセクタ毎に構成され、セクタ毎の記録領域内に記録される所定のデータの記録位置が識別情報を示すことにより、各光ディスクに固有の識別情報を記録することができる。
【００９０】
また、本発明に係る光ディスクによれば、ヘッダ領域と記録領域とからなるセグメント毎に構成され、セグメント毎の記録領域内に記録される所定のデータの記録位置が識別情報を示すことにより、各光ディスクに固有の識別情報を記録することができる。
【００９１】
さらに、本発明に係る光ディスクの記録方法によれば、光ディスクの識別情報を用いて、データ全体に暗号化処理を行うためのディスク・キーに第１の暗号化処理を行い、第１の暗号化処理が行われたディスク・キーを用いて、データの各プログラム毎に暗号化処理を行うためのセクタ・キーに第２の暗号化処理を行い、第２の暗号化処理が行われたセクタ・キーを用いて、データに第３の暗号化処理を行い、暗号化処理の行われたデータを光ディスクの記録領域に記録することによって、光ディスク毎に異なる暗号化処理が行われたデータを記録することができる。
【００９２】
相変化型の光ディスクでは、記録位置をランダムに変えるＳＰＳ（Start Position Shift method ）記録を採用することによって、媒体の寿命を含めた信頼性を高めることができ、この記録位置を暗号情報とすることによって、安全に情報を記録することができる。そして、少なくとも２つの記録位置情報によりデータを識別することによって、記録位置を記録ごとに固定化する必要がなく、本来の目的通り、記録位置を変えることによって、媒体の寿命を含めた信頼性を高めることができる。また、上記識別情報は、ＥＣＣブロックで情報ビットを閉じることができ、ＥＣＣの記録単位でデータ情報とともに完結することができる。
【図面の簡単な説明】
【図１】本発明を適用した光ディスクを説明するための図である。
【図２】上記光ディスクのフォーマットを説明するための図である。
【図３】上記光ディスクに記録されたメディアＩＤを説明するための図である。
【図４】上記光ディスクに記録されたメディアＩＤを説明するための図である。
【図５】本発明を適用した光ディスクの記録再生装置の概略的な構成図である。
【図６】上記光ディスクの記録再生装置の具体的な回路構成を示すブロック図である。
【図７】上記記録再生装置のシステム制御回路の暗号化処理部の構成を示すブロック図である。
【図８】上記システム制御回路の復号処理部の構成を示すブロック図である。
【図９】本発明を適用した光ディスクの他の例を説明するための図である。
【図１０】図９に示した光ディスクにおけるＥＣＣブロックを構成する２つのセグメントの記録位置で識別情報を示す方法を説明するための図である。
【図１１】図９に示した光ディスクにおける２つのＥＣＣブロックの記録位置で識別情報を示す方法を説明するための図である。
【図１２】図９に示した光ディスクにおけるセグメントの記録内容を説明するための図である。
【図１３】図９に示した光ディスクにおける識別情報を示す記録位置を検出する方法を説明するための図である。
【図１４】従来の光ディスクの記録再生装置の概略的な構成図である。
【符号の説明】
１，１００  光ディスク、２０  記録再生装置、３０  システム制御回路、４０  暗号化処理部、４１  分離回路、４２  タイミング信号発生回路、４３  第１の暗号化回路、４４  第２の暗号化回路、４５  第３の暗号化回路
【図１】
0003899699.tif 000002
【図２】
0003899699.tif 000003
【図３】
0003899699.tif 000004
【図４】
0003899699.tif 000005
【図５】
0003899699.tif 000006
【図６】
0003899699.tif 000007
【図７】
0003899699.tif 000008
【図８】
0003899699.tif 000009
【図９】
0003899699.tif 000010
【図１０】
0003899699.tif 000011
【図１１】
0003899699.tif 000012
【図１２】
0003899699.tif 000013
【図１３】
0003899699.tif 000014
【図１４】
0003899699.tif 000015